(57)【要約】【課題】照明装置を複数のモードで駆動する場合においても良質な画像を表示できる、プロジェクターを提供する。【解決手段】照明装置と、照明装置からの照明光を色分離する色分離光学系と、色分離光学系により分離された各色に対応して配置される複数の液晶パネルと、駆動電圧に関するデータを格納したルックアップテーブルを複数有し、複数のルックアップテーブルの中から選択したテーブルを参照することで、複数の液晶パネルを制御する制御部と、複数の液晶パネルのいずれかに設けられる一つの温度センサーと、を備え、制御部は、温度センサーの検出結果に応じて、複数の液晶パネルの制御に用いるルックアップテーブルを選択するプロジェクターに関する。【選択図】図３
2017129730.tif 000002
【特許請求の範囲】
【請求項１】
照明装置と、
前記照明装置からの照明光を色分離する色分離光学系と、
前記色分離光学系により分離された各色に対応して配置される複数の液晶パネルと、
駆動電圧に関するデータを格納したルックアップテーブルを複数有し、前記複数のルックアップテーブルの中から選択したテーブルを参照することで、前記複数の液晶パネルを制御する制御部と、
前記複数の液晶パネルのいずれかに設けられる一つの温度センサーと、を備え、
前記制御部は、前記温度センサーの検出結果に基づいて、前記複数の液晶パネルの制御に用いる前記ルックアップテーブルを選択する
プロジェクター。
【請求項２】
前記色分離光学系は、前記照明装置から照射される白色の前記照明光を赤色、青色及び緑色の光に分離し、
前記温度センサーは、前記緑色の光に対応して配置される前記液晶パネルに設けられる
請求項１に記載のプロジェクター。
【請求項３】
前記照明装置は、固体光源と、前記固体光源から射出された光が入射する波長変換素子と、を有する
請求項１又は２に記載のプロジェクター。
【請求項４】
前記照明装置は、定格電力モード、又は、前記定格電力モードに比べて前記液晶パネルに対して低い電圧を印加する省電力モードのいずれかで駆動される
請求項１乃至３のいずれか一項に記載のプロジェクター。
【発明の詳細な説明】
【技術分野】
【０００１】
本発明は、プロジェクターに関するものである。
【背景技術】
【０００２】
近年、照明装置から射出された光を画像情報に応じて複数の液晶パネルで変調し、拡大投写するプロジェクターにおいて、複数種類のモードで照明装置を駆動させることで種々の用途に対応可能なものがある（例えば、下記特許文献１参照）。
【０００３】
このプロジェクターでは、企業のプレゼンテーションのように比較的遠くにいる鑑賞者に対して画像を視認させる場合に定格電力モードを使用し、ホームシアターのように比較的近くにいる鑑賞者に対して画像を視認させる場合に省電力モードを使用する。定格電力モードは照明装置から通常の出力で光を照射させるものであり、省電力モードは定格電力モードに比べて照明装置から弱い出力で光を照射させるものである。
【先行技術文献】
【特許文献】
【０００４】
【特許文献１】特開２００４−２０７０１８号公報
【発明の概要】
【発明が解決しようとする課題】
【０００５】
ところで、液晶パネルは、プロジェクターの使用に伴って生じる温度変化によって、印加電圧−光透過率特性（Ｖ−Ｔ特性）や応答速度が変動してしまい、投写画像の品質が低下してしまう。上述の定格電力モードは省電力モードに比べて液晶パネルの温度が高くなるため、上記Ｖ−Ｔ特性が変化し易い。
そこで、定格電力モード時の液晶パネルに生じるＶ−Ｔ特性や応答速度の変動を補正する補正データを格納したルックアップテーブルに基づいて液晶パネルを駆動させることが考えられる。
【０００６】
上述のように照明装置を複数のモードで駆動する場合、液晶パネルで生じる温度の変化量がルックアップテーブルで対応可能な温度範囲を超えてしまう。そのため、液晶パネルのＶ−Ｔ特性を良好に補正できず、投写画像の品質を低下させるおそれがあった。
【０００７】
本発明はこのような事情に鑑みてなされたものであって、照明装置を複数のモードで駆動する場合においても良質な画像を表示できる、プロジェクターを提供することを目的とする。
【課題を解決するための手段】
【０００８】
本発明の態様に従えば、照明装置と、前記照明装置からの照明光を色分離する色分離光学系と、前記色分離光学系により分離された各色に対応して配置される複数の液晶パネルと、駆動電圧に関するデータを格納したルックアップテーブルを複数有し、前記複数のルックアップテーブルの中から選択したテーブルを参照することで、前記複数の液晶パネルを制御する制御部と、前記複数の液晶パネルのいずれかに設けられる一つの温度センサーと、を備え、前記制御部は、前記温度センサーの検出結果に基づいて、前記複数の液晶パネルの制御に用いる前記ルックアップテーブルを選択するプロジェクターが提供される。
【０００９】
上記態様に係るプロジェクターによれば、一つの液晶パネルの温度に基づいて最適なルックアップテーブルが選択されるので、例えば、定格電力モードに加え、省電力モードで照明装置を駆動した場合に液晶パネルに生じるＶ−Ｔ特性のズレを補正して、色ずれ等の画質の劣化を抑制することができる。よって、照明装置の駆動モードによらず良質な画像を表示することができる。
【００１０】
上記態様において、前記色分離光学系は、前記照明装置から照射される白色の前記照明光を赤色、青色及び緑色の光に分離し、前記温度センサーは、前記緑色の光に対応して配置される前記液晶パネルに設けられるのが好ましい。
この構成によれば、温度センサーは、三つの液晶パネルのうち、最も温度が高くなる緑色光に対応した液晶パネルの温度を検出するため、温度センサーは最も大きな温度差を検出することが可能となる。よって、温度センサーは温度検出を簡便且つ確実に行うことができる。
【００１１】
上記態様において、前記照明装置は、固体光源と、前記固体光源から射出された光が入射する波長変換素子と、を有するのが好ましい。
この構成によれば、固体光源を用いた照明装置を省電力モードで駆動する場合においても、良質な画像を表示することができる。
【００１２】
上記態様において、前記照明装置は、定格電力モード、又は、前記定格電力モードに比べて前記液晶パネルに対して低い電圧を印加する省電力モードのいずれかで駆動されるのが好ましい。
本発明によれば、定格電力モード及び省電力モードのいずれにおいても良質な画像を表示できる。
【図面の簡単な説明】
【００１３】
【図１】プロジェクターの光学系を示す模式図。
【図２】プロジェクターの電気的な構成を模式的に示した図。
【図３】ルックアップテーブルを概念的に示した図。
【発明を実施するための形態】
【００１４】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１５】
図１は、本発明の一実施形態に係るプロジェクター１の光学系を示す模式図である。なお、図１において、符号１００ａｘは照明光軸であり、照明装置１００から色分離光学系２００に向けて射出される光の光軸である。
【００１６】
図１に示すように、プロジェクター１は、照明装置１００と、色分離光学系２００と、液晶パネル４００Ｒ，液晶パネル４００Ｇおよび液晶パネル４００Ｂと、クロスダイクロイックプリズム５００と、投射光学系６００と、を具備して構成されている。
【００１７】
照明装置１００は、励起光を照射するアレイ光源３０と、集光光学系４０と、蛍光体ホイール１０と、コリメート光学系６０と、インテグレーター光学系１１０と、偏光変換素子１２０と、重畳レンズ１３０と、がこの順に配置された構成になっている。
【００１８】
アレイ光源３０は、固体光源としての複数の半導体レーザー３０ａを備える。複数の半導体レーザー３０ａは照明光軸１００ａｘと直交する同一面内において、アレイ状に並んで配置されている。半導体レーザー３０ａは、蛍光体層１１を励起させる励起光ＢＬとして、例えば、青色光（例えばピーク波長が４６０ｎｍのレーザー光）を射出する。
【００１９】
集光光学系４０は、複数の第１レンズ４２と、１つの第２レンズ４４と、を備えている。
各第１レンズ４２及び第２レンズ４４はともに凸レンズである。第２レンズ４４には、第１レンズ４２を透過した光が入射する。集光光学系４０は、アレイ光源３０から射出される励起光ＢＬの光線軸上に配置され、複数のアレイ光源３０から射出された励起光ＢＬを集光する。
【００２０】
蛍光体ホイール１０は、アレイ光源３０から射出される青色の励起光ＢＬの一部を透過させ、残りの励起光ＢＬを蛍光に変換する機能を有する。蛍光体ホイール１０は、蛍光体層１１を有しており、この蛍光体層１１は残りの励起光ＢＬを吸収して赤色光及び緑色光を含む黄色の蛍光ＹＬを射出する。蛍光ＹＬの発光強度のピークは、約５５０ｎｍである。蛍光ＹＬと蛍光体層１１を透過した励起光ＢＬの一部の青色光ＢＬ１とが合成されることで白色の照明光ＷＬが生成される。
【００２１】
コリメート光学系６０は、蛍光体ホイール１０からの照明光ＷＬの広がりを抑える光学素子としての第１レンズ６２と、第１レンズ６２から入射される光を略平行化する第２レンズ６４とを備えている。第１レンズ６２は、蛍光体ホイール１０から射出された照明光ＷＬを取り込むピックアップレンズであり、蛍光体ホイール１０に近接した状態で配置されている。
【００２２】
コリメート光学系６０は、蛍光体ホイール１０から射出された照明光ＷＬを略平行化してインテグレーター光学系１１０に入射させる。
【００２３】
インテグレーター光学系１１０は、第１レンズアレイ１１１及び第２レンズアレイ１１２を備えている。第１レンズアレイ１１１はマトリクス状に配置された複数のレンズを備える。第２レンズアレイ１１２は、第１レンズアレイ１１１の複数のレンズに対応した複数のレンズを備える。第１レンズアレイ１１１は、コリメート光学系６０からの照明光ＷＬを複数の分割光束に分割するとともに、各分割光束を集光する。第２レンズアレイ１１２は、第１レンズアレイ１１１からの分割光束を適当な発散角にして射出する。
【００２４】
偏光変換素子１２０は、例えば、偏光分離膜と位相差板とから構成され、照明光ＷＬを直線偏光に変換する。
【００２５】
重畳レンズ１３０は、偏光変換素子１２０から射出された複数の分割光束を、液晶パネル４００Ｒ、液晶パネル４００Ｇ、液晶パネル４００Ｂの各々の被照明領域において重畳させる。
【００２６】
色分離光学系２００は、ダイクロイックミラー２１０、ダイクロイックミラー２２０、反射ミラー２３０、反射ミラー２４０、反射ミラー２５０及びリレーレンズ２６０、リレーレンズ２７０を備えている。色分離光学系２００は、照明装置１００からの光を赤色光、緑色光及び青色光に分離し、赤色光、緑色光及び青色光のそれぞれの色光を照明対象となる液晶パネル４００Ｒ、液晶パネル４００Ｇ、液晶パネル４００Ｂに導く。色分離光学系２００と、液晶パネル４００Ｒ、液晶パネル４００Ｇ及び液晶パネル４００Ｂとの間には、集光レンズ３００Ｒ、集光レンズ３００Ｇ、集光レンズ３００Ｂがそれぞれ配置されている。
【００２７】
ダイクロイックミラー２１０は、赤色光成分を透過させ、緑色光成分及び青色光成分を反射する。ダイクロイックミラー２２０は、ダイクロイックミラー２１０で反射した照明光ＷＬのうち、緑色光成分を反射して、青色光成分を透過させる。
【００２８】
反射ミラー２３０は、ダイクロイックミラー２１０を透過した赤色光成分を反射する。
反射ミラー２４０および反射ミラー２５０は、ダイクロイックミラー２２０を透過した青色光成分を反射する。
【００２９】
ダイクロイックミラー２１０を透過した赤色光は、反射ミラー２３０で反射され、集光レンズ３００Ｒを透過して赤色光用の光変調装置としての液晶パネル４００Ｒの画像形成領域に入射する。ダイクロイックミラー２１０で反射された緑色光は、ダイクロイックミラー２２０でさらに反射され、集光レンズ３００Ｇを透過して緑色光用の光変調装置としての液晶パネル４００Ｇの画像形成領域に入射する。ダイクロイックミラー２２０を透過した青色光は、リレーレンズ２６０、反射ミラー２４０、リレーレンズ２７０、反射ミラー２５０、集光レンズ３００Ｂを経て青色光用の光変調装置としての液晶パネル４００Ｂの画像形成領域に入射する。
【００３０】
液晶パネル４００Ｒ、液晶パネル４００Ｇおよび液晶パネル４００Ｂは、入射された色光を画像情報に応じて変調して画像を形成する。液晶パネル４００Ｒ、液晶パネル４００Ｇおよび液晶パネル４００Ｂは、照明装置１００の照明対象となる。なお、図示を省略したが、集光レンズ３００Ｒ、集光レンズ３００Ｇおよび集光レンズ３００Ｂと各液晶パネル４００Ｒ、液晶パネル４００Ｇおよび液晶パネル４００Ｂとの間には、それぞれ入射側偏光板が配置されている。また、各液晶パネル４００Ｒ、液晶パネル４００Ｇおよび液晶パネル４００Ｂとクロスダイクロイックプリズム５００との間には、それぞれ射出側偏光板が配置されている。
【００３１】
例えば、液晶パネル４００Ｒ、液晶パネル４００Ｇおよび液晶パネル４００Ｂの各々は、一対の透明基板に液晶を密閉封入した透過型の液晶パネルから構成される。
【００３２】
クロスダイクロイックプリズム５００は、図示は省略するが、射出側偏光板から射出された色光毎に変調された光学像を合成してカラー画像を形成する光学素子である。
【００３３】
クロスダイクロイックプリズム（光学素子）５００から射出されたカラー画像は、複数のレンズから構成される投射光学系６００によって拡大投射され、スクリーンＳＣＲ上で画像を形成する。
【００３４】
ところで、液晶パネル４００Ｒ、液晶パネル４００Ｇおよび液晶パネル４００Ｂは、温度変化によって印加電圧−光透過率特性（Ｖ−Ｔ特性）や応答速度が変動する。そのため、プロジェクター１は、上述の変動に伴って、表示画像の品質が低下するおそれがある。
【００３５】
通常、緑色光に対応する液晶パネル４００Ｇは、他の液晶パネル４００Ｒおよび液晶パネル４００Ｂに比べて、照明装置１００からの入射光量が相対的に多い。そのため、液晶パネル４００Ｇは、液晶パネル４００Ｒおよび液晶パネル４００Ｂに比べて、温度が上昇し易く、結果的に、プロジェクター１の駆動時に最も大きな温度変化が生じる。
以下、液晶パネル４００Ｒ、液晶パネル４００Ｇおよび液晶パネル４００Ｂを総称して、液晶パネル４００Ｒ，４００Ｇ，４００Ｂと称すこともある。
【００３６】
本実施形態のプロジェクター１は、最も大きな温度変化が生じる液晶パネル４００Ｇの温度を検出し、その検出結果に基づき、Ｖ−Ｔ特性の変動が小さくなるように各液晶パネル４００Ｒ，４００Ｇ，４００Ｂの駆動させている。
【００３７】
図２は、プロジェクター１の電気的な構成を模式的に示した図である。
図２に示すように、本実施形態のプロジェクター１は、液晶パネル４００Ｇの温度を検出する温度センサー７０と、温度センサー７０の検出結果に基づいて、液晶パネル４００Ｒ，４００Ｇ，４００Ｂの駆動を制御する制御部９０と、を備えている。
【００３８】
温度センサー７０は、最も大きな温度変化が生じる液晶パネル４００Ｇの温度を検出するため、温度検出を簡便且つ確実に行うことが可能である。
本実施形態のプロジェクター１は、一つの液晶パネル４００Ｇの温度を一個の温度センサー７０で検出する構成を採用するため、装置構成を簡略化することができる。
【００３９】
本実施形態において、温度センサー７０としては、サーミスタや熱電対が用いられる。温度センサー７０は、例えば、液晶パネル４００Ｇへの入射光を遮らない位置に設けられる。温度センサー７０は、制御部９０と電気的に接続され、その検出結果を制御部９０へと送信する。
【００４０】
制御部９０は、温度センサー７０から送信される液晶パネル４００Ｇの温度と液晶パネル４００Ｒ，４００Ｇ，４００Ｂを駆動させる駆動電圧とを対応づけたデータを格納したルックアップテーブル（Look Up Table）を記憶している。なお、ルックアップテーブルは、例えば、事前に実施された実験に基づいて算出される。
【００４１】
具体的に、ルックアップテーブルは、液晶パネル４００Ｇの温度と、該液晶パネル４００Ｇの温度に基づいて液晶パネル４００Ｒ，４００Ｇ，４００Ｂに生じるＶ−Ｔ特性の変動をそれぞれ補正する駆動電圧との関係を示すデータを格納したものである。通常、ルックアップテーブルは、±１０℃程度の温度変化が生じる液晶パネルのＶ−Ｔ特性の変動を補正することが可能である。
【００４２】
ところで、近年、プロジェクターにおいても消費電力の削減（省エネルギー化）が望まれている。本実施形態のプロジェクター１は、鑑賞者の用途に応じて、照明装置１００を定格電力で駆動する定格電力モードと、照明装置１００を省電力で駆動する省電力モードとを切り替え可能となっている。
【００４３】
省電力モードは、定格電力モードに対し、駆動する半導体レーザー３０ａの数を減らすことでアレイ光源３０の消費電力を抑制するモードである。
【００４４】
ここで、省電力モードと定格電力モードにおいて、照明装置１００から照射される照明光ＷＬの光量は異なる。そのため、省電力モード及び定格電力モードに対応したプロジェクター１において、温度センサー７０における検出温度領域は、単一の電力モードに対応したプロジェクターよりも拡がる。つまり、各液晶パネルにおいては、一つのルックアップテーブルで良好に補正可能な温度範囲（±１０℃）よりも広い（例えば±２０℃）温度変化が生じることとなる。
このように複数の電力モードに対応したプリンターにおいては、一つのルックアップテーブルだけでは各液晶パネルに生じるＶ−Ｔ特性の変動を良好に補正することが難しくなる。
【００４５】
これに対し、本実施形態の制御部９０は、温度センサー７０の検出温度（液晶パネルの温度）が比較的低温領域の場合に生じるＶ−Ｔ特性の変動を補正するためのルックアップテーブルと、温度センサー７０の検出温度（液晶パネルの温度）が比較的高温領域の場合に生じるＶ−Ｔ特性の変動を補正するためのルックアップテーブルとを個別に記憶している。
つまり、制御部９０は、液晶パネルの温度範囲によって異なるＶ−Ｔ特性の変動をそれぞれ補正可能なルックアップテーブルを有している。
【００４６】
このような構成に基づき、制御部９０は、温度センサー７０の検出結果（液晶パネル４００Ｇの温度）に基づき、複数のルックアップテーブルの中から選択したテーブルを参照することで、各液晶パネル４００Ｒ，４００Ｇ，４００Ｂを制御している。
【００４７】
また、本実施形態のプロジェクター１は、複数のカラーモードで画像表示を行うことが可能である。ここで、カラーモードとは、鑑賞者の用途に応じて、投写画像の色合いを調整するためのモードである。
【００４８】
プロジェクター１は、３つのカラーモード、例えば、標準カラーモード、輝度優先カラーモード、色優先カラーモードに対応する。標準カラーモードは、輝度及び色合いのバランスが均等に調整された画像を表示するモードであり、輝度優先カラーモードは、色合いよりも輝度を優先して調整した画像を表示するモードであり、色優先カラーモードは、輝度よりも色あいを優先して調整した画像を表示するモードである。
【００４９】
プロジェクター１において、各液晶パネル４００Ｒ，４００Ｇ，４００Ｂの駆動条件（透過率等）は、カラーモード毎に異なる。制御部９０は、各カラーモードに対応したルックアップテーブルを記憶している。
【００５０】
このような構成に基づき、制御部９０はカラーモードに応じたルックアップテーブルを参照することで、液晶パネル４００Ｒ，４００Ｇ，４００Ｂを制御するようになっている。
【００５１】
図３は制御部９０に記憶されるルックアップテーブルを概念的に示した図である。
図３に示すように、本実施形態の制御部９０には、例えば、６つのルックアップテーブルＴＢ１〜ＴＢ６（以下、単にテーブルＴＢ１〜ＴＢ６と称す）を記憶している。
【００５２】
テーブルＴＢ１、ＴＢ２は、標準カラーモードに対応し、テーブルＴＢ３、ＴＢ４は、輝度優先カラーモードに対応し、テーブルＴＢ５、ＴＢ６は、色優先カラーモードに対応する。
【００５３】
つまり、標準カラーモードが選択されている場合、制御部９０は温度センサー７０の検出結果に基づいてテーブルＴＢ１、ＴＢ２のいずれか一方を選択する。
テーブルＴＢ１は、温度センサー７０の検出結果が所定の閾値よりも低い場合（通常、省電力モードで照明装置１００を駆動させた場合）に、制御部９０により選択されるテーブルである。
テーブルＴＢ２は、温度センサー７０の検出結果が所定の閾値よりも高い場合（通常、定常電力モードで照明装置１００を駆動させた場合）に、制御部９０により選択されるテーブルである。
【００５４】
輝度優先モードが選択されている場合、制御部９０は温度センサー７０の検出結果に基づいてテーブルＴＢ３、ＴＢ４のいずれか一方を選択する。
テーブルＴＢ３は、温度センサー７０の検出結果が所定の閾値よりも低い場合（通常、省電力モードで照明装置１００を駆動させた場合）に、制御部９０により選択されるテーブルである。
テーブルＴＢ４は、温度センサー７０の検出結果が所定の閾値よりも高い場合（通常、定格電力モードで照明装置１００を駆動させた場合）に、制御部９０により選択されるテーブルである。
【００５５】
色優先モードが選択されている場合、制御部９０は温度センサー７０の検出結果に基づいてテーブルＴＢ５、ＴＢ６のいずれか一方を選択する。
テーブルＴＢ５は、温度センサー７０の検出結果が所定の閾値よりも低い場合（通常、省電力モードで照明装置１００を駆動させた場合）に、制御部９０により選択されるテーブルである。
テーブルＴＢ６は、温度センサー７０の検出結果が所定の閾値よりも高い場合（通常、定格電力モードで照明装置１００を駆動させた場合）に、制御部９０により選択されるテーブルである。
【００５６】
続いて、本実施形態のプロジェクター１の動作の一例について説明する。この説明では、プロジェクター１がカラーモードとして標準モードを採用した場合について説明する。
【００５７】
本実施形態のプロジェクター１は、画像表示を行う際、温度センサー７０の検出結果に基づいて選択したテーブルを参照することで、各液晶パネル４００Ｒ，４００Ｇ，４００Ｂの駆動を制御する。
【００５８】
具体的に、制御部９０は、温度センサー７０の検出結果を所定の閾値と比較する。制御部９０は温度センサー７０の検出結果が所定の閾値よりも低い場合、テーブルＴＢ１を選択し、テーブルＴＢ１を参照することで各液晶パネル４００Ｒ，４００Ｇ，４００Ｂの駆動を制御する。一方、制御部９０は温度センサー７０の検出結果が所定の閾値よりも高い場合、テーブルＴＢ２を選択し、テーブルＴＢ２を参照することで各液晶パネル４００Ｒ，４００Ｇ，４００Ｂの駆動を制御する。
【００５９】
プロジェクター１の動作中において、制御部９０は温度センサー７０の検出結果を所定の閾値と比較し続ける。そして、比較結果に応じて、各液晶パネル４００Ｒ，４００Ｇ，４００Ｂの駆動に用いるテーブルＴＢ１，ＴＢ２の一方から選択する。
このように本実施形態のプロジェクター１によれば、温度センサー７０の検出結果に基づいて最適なルックアップテーブルを選択するため、省電力モード及び定格電力モードによらず、各液晶パネル４００Ｒ，４００Ｇ，４００Ｂで生じるＶ−Ｔ特性の変動を良好に補正して、表示画像の品質低下を抑制することができる。
【００６０】
なお、プロジェクター１を同一条件で駆動した場合でも、プロジェクター１の外部環境（外気温、湿度など）によって液晶パネル４００Ｒ，４００Ｇ，４００Ｂの温度に差が生じる。すなわち、省電力モードで駆動する場合であっても、外気温が高い場合、液晶パネルの温度が高くなることも想定される。同様に、定格電力モードで駆動する場合であっても、外気温が低い場合、液晶パネルの温度が低くなることも想定される。
そのため、電力モードに応じてテーブルを選択した場合、外気温によって所望のテーブルが選択されず、液晶パネルに生じるＶ−Ｔ特性の変動を良好に補正できないおそれがある。
【００６１】
これに対し、本実施形態によれば、液晶パネル４００Ｒ，４００Ｇ，４００Ｂの温度のみに着目して最適なルックアップテーブルを選択ため、外気温を考慮する必要が無く、照明装置１００を複数のモードで駆動する場合においても液晶パネルに生じるＶ−Ｔ特性の変動を良好に補正することで良質な画像を表示することができる。
【００６２】
なお、本発明の技術範囲は上記実施形態に限定されるものではなく、本発明の趣旨を逸脱しない範囲において種々の変更を加えることが可能である。
【００６３】
例えば上記実施形態では、照明装置１００として半導体レーザー３０ａと蛍光体層１１を用いて照明光ＷＬを生成するものを例示したが、本発明はこれに限定されず、超高圧水銀ランプなどの放電ランプを照明装置として用いても良い。
【００６４】
また、上記実施形態では、温度センサー７０を液晶パネル４００Ｇに設ける場合を例に挙げたが、液晶パネル４００Ｒ又は液晶パネル４００Ｂのいずれかに設けるようにしても良い。
【００６５】
また、プロジェクター１において、例えば、電源投入状態のまま液晶パネルに映像信号が所定時間入力されない状態が続いた場合、照明装置１００を定格電力モードから省電力モードに自動的に切り替えても良い。このようにすれば、プロジェクター１における待機電力を減らすことができるので、さらなる省エネルギー化を図ることができる。
また、外部環境（外気温、湿度、明るさなど）に応じて、カラーモードや、照明装置１００の駆動モード（定格電力モード又は省電力モード）を切り替えるようにしても良い。
【００６６】
また、上記実施形態では、透過型の蛍光体ホイールを備えた照明装置の例を挙げたが、反射型の蛍光体ホイールを備えた照明装置であってもよい。
【符号の説明】
【００６７】
１…プロジェクター、１００…照明装置、２００…色分離光学系、４００Ｒ，４００Ｇ，４００Ｂ…液晶パネル、ＴＢ１，ＴＢ２，ＴＢ３，ＴＢ，４，ＴＢ５，ＴＢ６…テーブル（ルックアップテーブル）、ＷＬ…照明光。
【図１】
2017129730.tif 000003
【図２】
2017129730.tif 000004
【図３】
2017129730.tif 000005